(57)【特許請求の範囲】
【請求項１】
電界に応じて表示状態が変化すると共にメモリー性を有する表示層と、入射した光に応じて電気抵抗が変化する光導電性を有する光導電性を示す光導電層とを、各々電極が形成された一対の基板間に挟持して成る光書込表示媒体に画像を書き込む光書込装置であって、
前記電極に電圧を印加する電圧印加手段と、
入射光を所定の偏光状態に偏光する第１の偏光手段、前記第１の偏光手段に対して消光位となるように配置された第２の偏光手段、及び前記第１の偏光手段と前記第２の偏光手段との間に配置され、入射光を偏光状態を維持したままで透過可能であると共に、両面に画像を発光する両面発光型表示素子から成る露光表示手段と、
を備え、
前記第１の偏光手段が、第１直線偏光子と、前記第１直線偏光子と前記両面発光型表示素子との間に配置された第１の位相差板とから成ると共に、前記第１の位相差板の遅相軸と前記第１直線偏光子の透過軸とが予め定めた所定角度となるように配置され、
前記第２の偏光手段が、第２直線偏光子と、前記第２直線偏光子と前記両面発光型表示素子との間に配置された第２の位相差板から成ると共に、前記第２の位相差板の遅相軸と前記第２直線偏光子の透過軸とが予め定めた所定角度となるように配置された
ことを特徴とする光書込装置。
【請求項２】
前記第１の位相差板の遅相軸と前記第２の位相差板の遅相軸とが直交するように配置されたことを特徴とする請求項１記載の光書込装置。
【請求項３】
前記第１の偏光手段、前記両面発光型表示素子、及び前記第２の偏光手段が密着されて配置されたことを特徴とする請求項１又は請求項２記載の光書込装置。
【請求項４】
前記露光表示手段と前記光書込表示媒体との間に、結像レンズをさらに備えたことを特徴とする請求項１乃至請求項３の何れか１項に記載の光書込装置。
【発明の詳細な説明】
【技術分野】
【０００１】
本発明は、光書込装置に係り、より詳しくは、メモリー性を有する光書込表示媒体に画像を書き込む光書込装置に関する。
【背景技術】
【０００２】
近年、画像を繰返し記録及び消去が可能な光書込表示媒体が、環境に優しい表示記録媒体として注目を集めている。
【０００３】
図６には、このような光書込表示媒体の断面図を示した。図６に示すように、光書込表示媒体１０は、電界に応じて表示状態が変化すると共に、メモリー性を有する表示層３０と、照射された光に応じて電気抵抗が変化する光導電性を有する光導電層４０とが、電極２１が形成された基板１１と電極２２が形成された基板１２との間に挟持した構成となっている。電極２１及び電極２２には、画像書き込み用の所定電圧を印加するための電圧印加手段５０が接続される。
【０００４】
このような光書込表示媒体１０への画像の書き込みは、図７に示すように、露光手段６０を用いて書き込みたい画像を光書込表示媒体１０に露光しながら、電圧印加手段５０から電圧パルスを印加することで行われる。露光された画像の明部では光導電層４０の電気抵抗が低下するため表示層３０に高電圧が分圧され、露光された画像の暗部では光導電層４０の電気抵抗が高抵抗なため表示層３０には低電圧しか分圧されない。そこで、表示層３０の明暗が変化する閾値電圧をこの分圧変動の中間に設定することで、露光された画像を表示層３０へ記録することができる。
【０００５】
そして、表示層３０に電気泳動素子、強誘電性液晶素子、コレステリック液晶素子等の、電界に応答しメモリー性を有する表示素子を適用することにより、画像の露光及び電圧印加を終了した後も画像を保持しつづけることが可能となる。
【０００６】
ところで、露光手段６０は画像を光像として発する装置なので、表示装置として兼用することが可能である。従って、図７において、通常は光書込表示媒体１０を装着せずに、露光手段６０を表示装置として利用し、記録が必要なときだけ光書込表示媒体１０を装着して画像を記録するという形で利用することが可能である。
【０００７】
この場合、図８に示すように、光書込表示媒体１０をストッカー８２に積載しておき、記録が必要なときだけ搬送手段８１によって光書込表示媒体１０を露光位置、すなわち露光手段６０の真上の位置へ搬送する。そして、露光手段６０により画像を光書込表示媒体１０に露光しながら、電圧印加手段５０により電圧パルスを印加して画像を記録し、ストッカー８３へ排出する。このような一連の工程を自動的に行うことにより、画像を光書込表示媒体１０に記録したいときに、光書込表示媒体１０を１枚１枚手作業で装着する手間を省くことができる。
【０００８】
しかしながら、図８に示す構成では、光書込表示媒体１０が露光位置にあるときには、光書込表示媒体１０によって表示装置としての露光手段６０の表示画像が遮られて見えなくなってしまう、という問題があった。また、搬送手段８１を表示装置としての露光手段６０の前面に配置することは、商品デザインとして好ましくないほか、表示位置が奥まってしまうため表示画像が見にくくなってしまう、という問題もあった。
【０００９】
そこで、露光手段として、例えば特許文献１に記載された用な両面に画像を表示可能な両面発光型表示素子を用いることにより、露光手段の下側に光書込表示媒体１０を配置し、両面発光型表示素子の表面に表示された画像を観察者側から視認可能にすると同時に、両面発光型表示素子の裏面に表示された画像によって光書込表示媒体１０に画像を書き込むことが考えられる。
【特許文献１】特開２００１−３３２３９２号公報
【発明の開示】
【発明が解決しようとする課題】
【００１０】
しかしながら、上記のように両面発光型表示素子を用いた構成では、両面発光型表示素子を透過した外光によって、光書込表示媒体１０に書き込まれる画像が劣化する場合がある、という問題がある。
【００１１】
本発明は、上記問題を解決すべく成されたものであり、両面発光型表示素子を用いて画像を書き込むときの外光による書き込み画像の劣化を防ぐと共に、両面発光型表示素子による画像表示を画像書込みと同時に良好に行うことができる光書込装置を提供することを目的とする。
【課題を解決するための手段】
【００１２】
上記目的を達成するために、請求項１記載の発明は、電界に応じて表示状態が変化すると共にメモリー性を有する表示層と、入射した光に応じて電気抵抗が変化する光導電性を有する光導電性を示す光導電層とを、各々電極が形成された一対の基板間に挟持して成る光書込表示媒体に画像を書き込む光書込装置であって、前記電極に電圧を印加する電圧印加手段と、入射光を所定の偏光状態に偏光する第１の偏光手段、前記第１の偏光手段に対して消光位となるように配置された第２の偏光手段、及び前記第１の偏光手段と前記第２の偏光手段との間に配置され、入射光を偏光状態を維持したままで透過可能であると共に、両面に画像を発光する両面発光型表示素子から成る露光表示手段と、を備え、前記第１の偏光手段が、第１直線偏光子と、前記第１直線偏光子と前記両面発光型表示素子との間に配置された第１の位相差板とから成ると共に、前記第１の位相差板の遅相軸と前記第１直線偏光子の透過軸とが予め定めた所定角度となるように配置され、前記第２の偏光手段が、第２直線偏光子と、前記第２直線偏光子と前記両面発光型表示素子との間に配置された第２の位相差板から成ると共に、前記第２の位相差板の遅相軸と前記第２直線偏光子の透過軸とが予め定めた所定角度となるように配置されたことを特徴とする。
【００１３】
光書込表示媒体は、表示層及び光導電層が、電極が各々形成された一対の基板により挟持された構成である。
【００１４】
表示層は、電界に応じて表示状態が変化すると共にメモリー性を有し、光導電層は、入射した光に応じて電気抵抗が変化する光導電性を有する。従って、画像を光書込表示媒体に照射すると共に電極間に画像を書き込むための所定電圧を印加することにより、光導電層の電気抵抗が画像に応じて変化すると共に表示層の表示状態が画像に応じて変化し、照射した画像が書き込まれる。表示層はメモリー性を有するため、電圧の印加を停止した後も、画像表示は維持される。
【００１５】
このような光書込表示媒体に画像を書き込む光書込装置は、光書込表示媒体の一対の基板に形成された電極に電圧を印加する電圧印加手段を備える。
【００１６】
また、光書込装置は、表示用及び光書込表示媒体に対する画像書き込み用の画像を表示する露光表示手段を備える。
【００１７】
露光表示手段は、第１の偏光手段、第２の偏光手段、及び両面発光型表示素子で構成される。
【００１８】
第１の偏光手段は、入射光を所定の偏光状態に偏光する。第２の偏光手段は、入射光を所定の偏光状態に偏光するものであるが、第１の偏光手段に対して消光位となるように配置される。
【００１９】
両面発光型表示素子は、第１の偏光手段と第２の偏光手段との間に配置され、入射光を偏光状態を維持したままで透過可能であると共に、両面に画像を発光する。
【００２０】
このように、両面発光型表示素子は画像を両面から発光するため、両面発光型表示素子の表面から発光される画像を、表示用として、裏面から発光される画像を、光書込表示媒体への書き込み用として用いることができる。
【００２１】
また、両面発光型表示素子としては、例えば有機エレクトロルミネセンス（ＥＬ）素子、無機ＥＬ素子、プラズマディスプレイ等を用いることができるが、これらの両面発光型表示素子は透光性を有し、外部からの入射光を透過する性質を有する。
【００２２】
このため、このような両面発光型表示素子をそのまま光書込表示媒体への画像書込み用として用いた場合、観察者側から入射した外光が光書込表示媒体の光導電層へ入射してしまい、所謂‘かぶり’と呼ばれる画質劣化を生ずる。
【００２３】
これに対して、本発明では、両面発光型表示素子を上記のような第１の偏光手段と第２の偏光手段との間に配置するように構成したため、観察者側から入射した外光は、第１の偏光手段及び両面発光型表示素子は透過するものの、第２の偏光手段で吸収され、光導電層への入射を阻止することができる。従って、所謂‘かぶり’により劣化した画像が光書込表示媒体に書き込まれるのを防止することができる。
【００２４】
また、両面発光型表示素子の裏面側に光書込表示媒体を配置することが可能になるため、画像を表示したそのままの状態で同時に画像を書き込むことができると共に、露光表示手段を前面に配置することで画像の視認性を向上させることができる。
【００２６】
また、前記第１の偏光手段が、第１直線偏光子と、前記第１直線偏光子と前記両面発光型表示素子との間に配置された第１の位相差板とから成ると共に、前記第１の位相差板の遅相軸と前記第１直線偏光子の透過軸とが予め定めた所定角度となるように配置され、前記第２の偏光手段が、第２直線偏光子と、前記第２直線偏光子と前記両面発光型表示素子との間に配置された第２の位相差板から成ると共に、前記第２の位相差板の遅相軸と前記第２直線偏光子の透過軸とが予め定めた所定角度となるように配置された構成としている。
【００２７】
例えば、第１の位相差板の遅相軸と第１直線偏光子の透過軸とがなす角度と、第２の位相差板の遅相軸と第２直線偏光子の透過軸とがなす角度と、がそれぞれ４５度となるように、各々の偏光子と位相差板とを配置する。これにより、第１の偏光手段及び第２の偏光手段は円偏光板として作用するため、両面発光型表示素子の各面や内部で反射する光を遮断することができ、表示のコントラストを高めることができる。
【００２８】
このとき、請求項２に記載したように、前記第１の位相差板の遅相軸と前記第２の位相差板の遅相軸とが直交するように配置された構成とすることが好ましい。これにより、波長分散特性による色づきを防止することができる。
【００２９】
また、請求項３に記載したように、前記第１の偏光手段、前記両面発光型表示素子、及び前記第２の偏光手段が密着されて配置された構成とすることが好ましい。これにより、表面反射による表示画像や露光画像の劣化を低減することができる。
【００３０】
また、請求項４に記載したように、前記露光表示手段と前記光書込表示媒体との間に、結像レンズをさらに備えた構成とすることが好ましい。これにより、画像がぼけるのを防ぐことができる。
【発明の効果】
【００３１】
以上説明したように、本発明によれば、両面発光型表示素子を用いて画像を書き込むときの外光による書き込み画像の劣化を防ぐと共に、両面発光型表示素子による画像表示を画像の書込みと同時に良好に行うことができる、という効果を有する。
【発明を実施するための最良の形態】
【００３２】
（第１実施形態）
以下、本発明の第１実施形態について説明する。
【００３３】
図１には、画像を表示すると共に、図６に示したような光書込表示媒体１０に対して画像を書き込むために画像を照射する露光表示装置２０の側面図を示した。
【００３４】
露光表示装置２０は、両面発光型表示素子６１が、第１の偏光手段６２と第２の偏光手段６３との間に配置された構成となっている。
【００３５】
両面発光型表示素子６１は、外部からの入射光が偏光状態を維持したまま透過可能であって、かつ裏表両面に画像を表示可能である表示素子が用いられる。すなわち、両面発光型表示素子６１には、表面に画像が表示されると共に、上面には表面に表示された画像を反転した画像が表示される。このような両面発光型の表示素子としては、例えば有機ＥＬ、無機ＥＬ、プラズマディスプレイ、蛍光表示管（ＶＦＤ：Ｖａｃｃｕｍ  Ｆｌｕｏｒｅｓｃｅｎｔ  Ｄｉｓｐｌａｙ）、電界放射ディスプレイ（ＦＥＤ：Ｆｉｅｌｄ  Ｅｍｉｔｉｏｎ  Ｄｉｓｐｌａｙ）等を利用する。
【００３６】
有機ＥＬは、陰極としての電極、電子輸送層、発光層、正孔輸送層、及び陽極としての電極が積層された構造となっており、陰極から注入された電子と、陽極から注入された正孔とが発光層内で再結合して発光するＬＥＤ（Ｌｉｇｈｔ  Ｅｍｉｔｔｉｎｇ  Ｄｉｏｄｅ）の一種である。
【００３７】
電子輸送層、発光層、及び正孔輸送層は、１つの層に２つ以上の機能を持たせることによって層数を減らすこともできる。これらの機能層は、各層の膜厚が通常１００ｎｍ前後と薄いために、光散乱・旋光性・複屈折性による偏光状態の変化はほとんどない。このため、光吸収がない材料を選択すれば、透明で偏光状態を維持したまま外光を透過する表示素子を作製することができる。
【００３８】
また、陰極としては、電子の注入電圧を低減するために、ＭｇＡｇ等の不透明な低仕事関数金属が用いられてきたため両面発光を実現することが難しかったが、近年、陰極と電子輸送層との間にキャリア注入層を挿入することで、酸化インジウム錫等の透明導電材料を利用することが可能となってきた。これによって両面発光型表示素子を実現することができる。
【００３９】
無機ＥＬは、高バンドギャップの半導体中に発光中心元素を添加したもので、高電界下で界面準位から電子を注入し、これを電界加速して発光中心へ衝突励起させて発光させるものである。
【００４０】
無機ＥＬには、樹脂バインダ中に半導体粒子を分散した分散型ＥＬと、電極、絶縁層、半導体層、絶縁層、及び電極が積層された構造の二重絶縁構造型ＥＬとがあるが、透明性が高いことと、複屈折性が低いことから二重絶縁構造型ＥＬが好適である。電極として酸化インジウム錫等の透明導電材料を利用することで両面発光型表示素子を実現することができる。
【００４１】
プラズマディスプレイは、一対の電極間に希ガスを封入したもので、電極間に電圧を印加してグロー放電させたときの可視発光を利用したものと、一方の基板上に蛍光体層を形成して、グロー放電したときに発せられる紫外光を用いて蛍光体を励起して表示を行うものとがある。
【００４２】
前者の場合、電極に酸化インジウム錫等の透明導電材料を利用することで容易に両面発光型表示素子を実現できる。後者の場合、超微粒子の蛍光体や蒸着蛍光体等の光散乱や複屈折性が少ない材料を用いて、電極に酸化インジウム錫等の透明導電材料を利用することで両面発光型表示素子を実現できる。
【００４３】
ＶＦＤは、熱陰極、制御グリッド電極、蛍光体層、及び陽極から成る構造を真空セル中に形成したものであり、熱陰極へ通電加熱することで熱電子を放出させ、これを熱陰極−アノード電極間に印加した電界で加速して蛍光体へ衝突励起させることにより表示を行う。表示のオン／オフ制御は制御グリッド電極の電圧で熱電子の通過量を制御して行う。熱陰極と制御グリッド電極は、通常メッシュ状に形成されており透光性を有する。このため、陽極に透明導電材料を用いて、蛍光体層に光散乱や複屈折性が少ない材料を用いることで両面発光型表示素子を実現できる。
【００４４】
ＦＥＤは、ＶＦＤの熱陰極をＳｐｉｎｄｔ型電界放出素子やカーボンナノチューブ電界放出素子等の冷陰極で置き換えたものである。冷陰極をメッシュ状に形成することでＶＦＤと同様に両面発光型表示素子を実現できる。
【００４５】
両面発光型表示素子６１には、その表示素子に応じた図示しない制御装置が接続され、この制御装置により両面発光型表示素子６１に所望の画像が表示されるように制御される。
【００４６】
第１の偏光手段６２及び第２の偏光手段６３は、それぞれ直線偏光子を用いると共に、これらの直線偏光子が消光位になるように配置する。例えば、第１の偏光手段６２の透過軸と第２の偏光手段６３の透過軸とが互いに直交するように配置する。これにより、図１に示すように、観察者側から露光表示装置２０に入射した外光は、第１の偏光手段６２により、その透過軸に沿った直線偏光に変換され、両面発光型表示素子６１を透過するが、第２の偏光手段６３の透過軸は、第１の偏光手段６２の透過軸と直交しているため、第１の偏光手段６２により直線偏光に変換されると共に両面発光型表示素子６１を透過した光を透過せず、光書込表示媒体１０に外光が照射されるのを防ぐことができる。従って、光書込表示媒体１０には、両面発光型表示素子６１により表示された画像のみが照射される。
【００４７】
また、両面発光型表示素子６１の表面側に発光された表示画像は、第１の偏光手段６２を介して観察者者に観察され、両面発光型表示素子６１の裏面側に発光された表示画像の反転画像は、第２の偏光手段６３を介して光書込表示媒体１０に照射される。
【００４８】
このように、両面発光型表示素子６１を透過軸が直交する第１の偏光手段６２及び第２の偏光手段６３により挟んだ構成とすることにより、光書込表示媒体１０に外光が照射するのを防止して、両面発光型表示素子６１からの画像のみを照射することができ、所謂かぶりにより光書込表示媒体１０に書き込まれる画像が劣化するのを防ぐことができる。
【００４９】
ここで、消光位とは、第１の偏光手段６２の透過軸と第２の偏光手段６３の透過軸とが厳密に直交するものを意味するものではなく、光書込表示媒体１０へ書き込まれる画像の劣化が許容範囲内に収まる程度であれば、両者の透過軸が直交する位置からずれていてもよい。両者の透過軸が直交する位置からのずれの許容範囲は、例えば光書込表示媒体１０の反射率との関係により定められる。
【００５０】
直線偏光子としては、ヨウ素系または染料系の公知のフィルム偏光子を用いることができる。
【００５１】
なお、図１では、第１の偏光手段６２及び第２の偏光手段６３が、両面発光型表示素子６１から離間した構成としているが、表面反射による両面発光型表示素子６１の表示画像及び光書込表示媒体１０に対する露光画像の劣化を低減するためには、第１の偏光手段６２及び第２の偏光手段６３は、両面発光型表示素子６１に密着又は接着されていることが好ましい。
【００５２】
光書込表示媒体１０は、前述した図６に示すように、表示層３０と光導電層４０とが、電極２１が形成された基板１１と電極２２が形成された基板１２との間に挟持された構成である。
【００５３】
電極２１、２２には、Ａｕ等の金属薄膜、ＩＴＯ（Ｉｎｄｉｕｍ  Ｔｉｎ  Ｏｘｉｄｅ）、ＳｎＯ2、ＺｎＯ等の酸化物導電体、ポリピロールやＰＥＤＯＴ等の導電性高分子等、透光性の導電体を用いる。電極２１、２２は、一般に薄く自立膜として扱えないので、予め基板１１、１２上に形成して用いられる。
【００５４】
基板１１、１２には、透明な誘電体を用いる。例えば、ガラス、セラミック、樹脂（例えば、ポリエチレンテレフタレート、ポリカーボネート、ポリエーテルスルフォン、ポリオレフィン）等を用いる。
【００５５】
表示層３０としては、電界に応じて表示状態が変化し、かつ無電源で表示を維持できるメモリー性を有する表示素子を用いる。このような素子としては、帯電した着色微粒子を電界によって水中または気体中を移動させる電気泳動素子、例えばコレステリック液晶、強誘電性液晶、双安定ネマチック液晶、スメクチック液晶等のメモリー性液晶素子、例えば導電性高分子、酸化タングステン等の酸化物、ビオロゲン等の有機色素を用いたエレクトロクロミック材素子、電気メッキ素子等がある。
【００５６】
光導電層４０としては、例えばアモルファス・シリコンや、ＺｎＳｅ、ＣｄＳ等の化合物半導体としての無機半導体材料、アントラセン、ポリビニルカルバゾール等の有機半導体材料、 光照射によって電荷を発生する例えばペリレン系、フタロシアニン系、ビスアゾ系、ジチオピトケロピロール系、スクワリリウム系、アズレニウム系、チアピリリウム・ポリカーボネート系化合物等の電荷発生材料と、電界によって電荷移動を生ずる例えば、トリニトロフルオレン系、ポリビニルカルバゾール系、オキサジアゾール系、ピラリゾン系、ヒドラゾン系、スチルベン系、トリフェニルアミン系、トリフェニルメタン系、ジアミン系化合物や、ＬｉＣｌＯ4を添加したポリビニルアルコ−ルやポリエチレンオキシドのようなイオン導電性材料等の電荷輸送材料との複合体等を用いることができる。なお、複合形態としては積層体、混合物、マイクロカプセル等を用いることができる。
【００５７】
このような光書込表示媒体１０への画像の露光（書き込み）は、基板１２側からでも、基板１１側から表示層３０を通してでも可能である。しかしながら、通常は、表示画像は基板１１側から観察する方が、基板１２側から画像を観察するより画質が良好となる（基板１２側から観察すると表示層３０の手前に光導電層４０が位置するため）ため、光書込表示媒体１０に書き込まれる画像が裏返しならないように、かつ観察者の手前から露光表示装置２０、光書込表示媒体１０の順に配置するために、反転画像を基板１１側から照射するべく、基板１１側が両面発光型表示素子６１の裏面側と対向するように配置するのが好ましい。
【００５８】
なお、両面発光型表示素子６１の発光面と光書込表示媒体１０との距離が離れると画像がぼやけるため、露光表示装置２０と光書込表示媒体１０とはできるだけ密着するように配置することが好ましいが、例えば図２に示すように、露光表示装置２０と光書込表示媒体１０との間に結像手段７０を設けた構成としてもよい。
【００５９】
結像手段７０としては、レンズの他、直進光以外を吸収して広がりを抑えるマイクロルーバーやキャピラリープレート、正立像を結像するレンズをアレイ状に配置したセルフォックレンズアレイやマイクロレンズアレイ等を用いることができる。
【００６０】
図３には、光書込表示媒体１０に画像を書き込む露光表示装置２０を備えた光書込みシステム８０を示した。
【００６１】
図３に示すように、光書込みシステム８０は、露光表示装置２０、電圧印加手段５０、搬送手段８１、ストッカー８２、８３を含んで構成される。
【００６２】
露光表示装置２０の両面発光型表示素子６１には、図示しない制御装置による制御により画像が表示されており、この画像は観察者側から視認することができる。
【００６３】
ストッカー８２には、画像書込み前の光書込表示媒体１０がストックされている。図示しない搬送制御手段により搬送手段８１に対して搬送指示がなされると、搬送手段８１は、ストッカー８２の最上部の光書込表示媒体１０を図３において左方向へ搬送し、光書込表示媒体１０が露光表示装置２０の真下へ位置した所で搬送を停止する。
【００６４】
両面発光型表示素子６１の裏面には、表面に表示された画像の反転画像が表示されているため、露光表示装置２０の真下に位置した光書込表示媒体１０には、反転画像が照射される。そして、この状態において電圧印加手段５０が、電極２１、２２に画像書き込み用の所定電圧を印加する。これにより、光導電層４０の電気抵抗が露光表示装置２０から表示層３０に照射された反転画像に応じて変化し、これにより表示層３０には両面発光型表示素子６１の表面に表示された画像と同一の画像が表示される。表示層３０はメモリー性を有する表示素子で構成されているため、電圧印加手段５０による電圧の印加を停止した後も、書き込まれた画像の表示が維持される。
【００６５】
光書込表示媒体１０に画像が書き込まれると、搬送手段８１による搬送が再開され、ストッカー８３にストックされる。
【００６６】
このように、本発明による露光表示装置２０は、透過軸が消光位となるように配置された第１の偏光手段６２と第２の偏光手段６３とによって両面発光型表示素子６１を挟んだ構成としているため、観察者側からの外光を遮断することができる。このため、光書込表示媒体１０を観察者側から見て露光表示装置２０の奥側に配置することができ、デザイン性に優れると共に、表示される画像を観察者側から良好に視認することができる。また、露光表示装置２０により画像表示した状態そのままで画像書込みを行うことができ、観察者にとって違和感のない画像表示を実現することができる。
【００６７】
（第２実施形態）
次に、本発明の第２実施形態について説明する。本実施形態では、第１の偏光手段６２、第２の偏光手段６３の変形例について説明する。なお、上記第１実施形態と同一部分には同一符号を付し、その詳細な説明は省略する。
【００６８】
図４に示すように、本実施形態では、第１の偏光手段６２は、第１直線偏光子６２ａ及び第１の１／４位相差板６２ｂで構成されている。なお、第１の１／４位相差板６２ｂを、第１直線偏光子６２ａと両面発光型表示素子６１との間に配置すると共に、第１の１／４位相差板６２ｂの遅相軸が、第１直線偏光子６２ａの透過軸に対して、４５度（１３５度）の角度をなすように配置する。
【００６９】
第２の偏光手段６３は、第１の偏光手段６２と同様に、第２直線偏光子６３ａ及び第２の１／４位相差板６３ｂで構成されている。なお、第２の１／４位相差板６３ｂを、第２直線偏光子６３ａと両面発光型表示素子６１との間に配置すると共に、第２の１／４位相差板６３ｂの遅相軸が、第２直線偏光子６３ａの透過軸に対して、４５度（１３５度）の角度をなすように配置する。
【００７０】
このような構成の場合、第１直線偏光子６２ａ及び第１の１／４位相差板６２ｂから成る第１の偏光手段６２、第２直線偏光子６３ａ及び第２の１／４位相差板６３ｂから成る第２の偏光手段６３は、所謂円偏光板として作用する。円偏光板は、よく知られたように反射防止効果を有しており、観察者側から入射して、両面発光型表示素子６１の表面、裏面、内部で反射して、再び観察者側から射出する光を遮断する作用を持つ。このため、両面発光型表示素子６１の表示コントラストを高めることができる。
【００７１】
図４に示すように、第１直線偏光子６２ａに入射した光は第１直線偏光子６２ａによって直線偏光され、第１の１／４位相差板６２ｂによって遅相されることにより円偏光となる。この円偏光された光は、両面発光型表示素子６１をそのままの偏光状態で透過し、第２の１／４位相差板６３ｂによって遅相されて直線偏光へ戻される。そして、直線偏光された光の偏光方向は、第２直線偏光子６３ａの透過軸と直交するため、第２の１／４位相差板６３ｂによって直線偏光された光は、第２直線偏光子６３ａによって透過が防止される。このように、第２の１／４位相差板６３ｂによる直線偏光の偏光方向と第２直線偏光子６３ａの透過軸とが直交するように第２直線偏光子６３ａを配置することにより外光の透過を防止することができる。
【００７２】
また、両面発光型表示素子６１を透過した光は円偏光であるため、図４において第２の偏光手段６３を紙面に垂直な軸の周りに回転して、例えば、図５に示したように９０度回転しても外光の透過を防止するという基本的な作用に変わりはないため、図５に示すように第２の１／４位相差板６３ｂ及び第２直線偏光子６３ａを配置してもよい。しかしながら、波長分散特性による色づきを防止するために、図４に示すように、第１の１／４位相差板６２ｂの遅相軸と、第１の１／４位相差板６３ｂの遅相軸とが直交するように配置するのが好ましい。ここで、直交とは厳密に直交することが要求されるものではない。
【００７３】
なお、直線偏光子としては、前述したように、ヨウ素系または染料系の公知のフィルム偏光子を用いることができる。
【００７４】
また、１／４位相差板としては、ポリエーテルスルフォン、ポリカーボネート、ポリメタクリル酸メチル、ポリビニルアルコール等の透明樹脂を延伸したフィルムを用いることができる。なお、表示の色づきを防止するために、レターデーション(＝複屈折率と厚みとの積)の波長分散が補償されたものを用いることが好ましい。
【実施例１】
【００７５】
次に、本発明の実施例について説明する。
【００７６】
電極２１が形成された基板１１として市販のＩＴＯ／ＰＥＴ樹脂フィルムを準備し、このＩＴＯ電極面上にコレステリック液晶のマイクロカプセル塗料を表示層３０として塗布した。一方、電極２２が形成された基板１２として別のＩＴＯ／ＰＥＴ樹脂フィルムを準備し、このＩＴＯ電極面上に、フタロシアニン顔料を用いた第１電荷発生層と、ジフェニルアミン系電荷輸送層と、フタロシアニン顔料を用いた第２電荷発生層を順次塗布して、３層構造の光導電層４０を形成した。
【００７７】
このようにして表示層３０を形成した基板１１と、光導電層４０を作成した基板１２とを接着剤により貼り合わせることにより光書込表示媒体１０を作製した。
【００７８】
次に、両面発光型表示素子６１として、ＺｎＳ：Ｍｎを発光材料に用いた無機ＥＬパネル(デンソー社製)を準備し、この両面に、第１の偏光手段６２及び第２の偏光手段６３としての２枚の直線偏光子を消光位となるように貼付し、露光表示装置２０とした。
【００７９】
直線偏光子を貼付する前の両面発光型表示素子６１は、反対側（裏面側）が透けて見えるために表示画像が見づらい場合があったが、直線偏光子を貼付した本発明に係る露光表示装置２０ではそのようなことはなく、鮮明な画像表示を行うことができた。
【００８０】
また、露光表示装置２０の裏面に前述した方法により作製した光書込表示媒体１０を密着して配置し、電極２１、２２の間に周波数が１０Ｈｚ、電圧が３８０Ｖの対称矩形波を２００ｍｓ印加したところ、表示画像を明瞭に記録することができた。
【図面の簡単な説明】
【００８１】
【図１】光書込装置の構成を示す側面図である。
【図２】光書込装置の他の例を示す側面図である。
【図３】光書込みシステムの概略構成を示す図である。
【図４】露光表示装置２０の他の例を示す図である。
【図５】第２の偏光手段の他の例を示す図である。
【図６】光書込表示媒体の断面図である。
【図７】従来における光書込装置の構成を示す図である。
【図８】従来における光書込システムの構成を示す図である。
【符号の説明】
【００８２】
１０      光書込表示媒体
１１、１２      基板
２０      露光表示装置
２１、２２      電極
２２      電極
３０      表示層
４０      光導電層
５０      電圧印加手段
６０      露光手段
６１      両面発光型表示素子
６２ｂ      第１の１／４位相差板
６２ａ      第１直線偏光子
６２      第１の偏光手段
６３ｂ      第２の１／４位相差板
６３ａ      第２直線偏光子
６３      第２の偏光手段
７０      結像手段
８０      光書込みシステム
８１      搬送手段
８２、８３      ストッカー
８３      ストッカー
【図１】
0004686984.tif 000002
【図２】
0004686984.tif 000003
【図３】
0004686984.tif 000004
【図４】
0004686984.tif 000005
【図５】
0004686984.tif 000006
【図６】
0004686984.tif 000007
【図７】
0004686984.tif 000008
【図８】
0004686984.tif 000009